(57)【要約】      （修正有）【課題】各グループ用のページング信号の送信タイミングを柔軟に変更する。【解決手段】ページング信号送信方法は、無線基地局が、移動局に対して、ページング信号ＰＣＨに対する間欠受信を行う間隔を示す間欠受信間隔及びグループの総数を通知する工程と、移動局が、通知された間欠受信間隔及びグループの総数に基づいて、ページング信号を受信するタイミングを決定する工程と、移動局が、決定されたタイミングで、無線基地局から送信されたページング信号を受信する工程と、移動局が、受信したページング信号が自分宛てのページング信号である場合に、着信処理を行う工程とを有する。【選択図】図６
2011130490.tif 000002
【特許請求の範囲】
【請求項１】
無線基地局が、複数のグループのいずれかに属する移動局に対して、着信があった旨を通知するためのページング信号を送信するページング信号送信方法であって、
前記無線基地局が、前記移動局に対して、前記ページング信号に対する間欠受信を行う間隔を示す間欠受信間隔及び前記グループの総数を通知する工程と、
前記移動局が、通知された前記間欠受信間隔及び前記グループの総数に基づいて、前記ページング信号を受信するタイミングを決定する工程と、
前記移動局が、決定された前記タイミングで、前記無線基地局から送信された前記ページング信号を受信する工程と、
前記移動局が、受信した前記ページング信号が自分宛てのページング信号である場合に、着信処理を行う工程とを有することを特徴とするページング信号送信方法。 
【発明の詳細な説明】
【技術分野】
【０００１】
本発明は、無線基地局が複数のグループのいずれかに属する移動局に対して着信があった旨を通知するためのページング信号を送信するページング信号送信方法、移動局及び無線基地局に関する。
【背景技術】
【０００２】
図7を参照して、LTE(Long Term Evolution)方式の移動通信システムにおいて、無線基地局eNBが、複数のグループ#1乃至#3のいずれかに属する移動局UEに対して着信があった旨を通知するためのページング信号を送信する動作(ページング信号送信方法)について説明する。
【０００３】
図7に示すように、無線基地局eNBは、グループ#1に属する移動局UEに対して着信があったことを検知した場合、グループ#1用のサブフレーム(図7の例では、無線フレーム#0内のサブフレーム#0)において、P-RNTI(Paging-Radio Network Temporary Identifier)を含むPDCCH(Physical Downlink Control Channel)を送信するように構成されている。
【０００４】
なお、無線基地局eNBは、かかるPDCCHによって、グループ#1に属する移動局UEに対して、グループ#1用のPCH(Paging Channel)(すなわち、グループ#1に属する移動局UEに対して着信があった旨を通知するためのページング信号)がマッピングされているPDSCH(Physical Downlink Shared Channel)のリソースブロック位置やサイズ等を通知するように構成されている。
【０００５】
また、無線基地局eNBは、かかるPDSCHによって、上述の着信があった移動局UEの識別情報(UE-ID)を通知するように構成されている。
【０００６】
一方、移動局UEは、グループ#1用の間欠受信間隔(ページングDRX間隔)ごとに、P-RNTIを含むPDCCHが送信されているか否かについて監視するように構成されている。
【０００７】
そして、移動局UEは、P-RNTIを含むPDCCHが送信されていると判断した場合には、当該PDCCHに含まれている情報(例えば、PDSCHのリソースブロック位置やサイズ等)に基づいて、当該PDCCHに対応するPDSCHを受信するように構成されている。
【０００８】
また、移動局UEは、受信したPDSCHに含まれているUE-IDが自分宛てのUE-IDであった場合には、無線基地局eNBとの間で着信処理を行うように構成されている。
【先行技術文献】
【非特許文献】
【０００９】
【非特許文献１】3GPP TS36.300,“E-UTRA and E-UTRAN; Overall description; Stage 2,” v8.1.0.
【非特許文献２】R2-073372,”Paging Procedure in LTE,”NTT DoCoMo. Inc., NEC.
【発明の概要】
【発明が解決しようとする課題】
【００１０】
しかしながら、従来のLTE方式の移動通信システムにおいて想定されているページング送信方法では、各無線フレーム(10ms)において、各グループ用のPCH(ページング信号)を送信することができるサブフレーム(1ms)を、1つしか設定することができない。
【００１１】
したがって、かかる移動通信システムでは、セルにおける帯域幅が狭い場合や、他の信号(例えば、BCCH:Broadcast Control Channel等)が当該サブフレームにマッピングされている場合等では、当該サブフレームにPCHをマッピングすることができなくなる可能性があるという問題点があった。
【００１２】
そこで、本発明は、上述の課題に鑑みてなされたものであり、各グループ用のページング信号の送信タイミングを柔軟に変更することができるページング信号送信方法、移動局及び無線基地局を提供することを目的とする。
【課題を解決するための手段】
【００１３】
本発明の第1の特徴は、無線基地局が、複数のグループのいずれかに属する移動局に対して、着信があった旨を通知するためのページング信号を送信するページング信号送信方法であって、前記無線基地局が、前記移動局に対して、前記ページング信号に対する間欠受信を行う間隔を示す間欠受信間隔及び前記グループの総数を通知する工程と、前記移動局が、通知された前記間欠受信間隔及び前記グループの総数に基づいて、前記ページング信号を受信するタイミングを決定する工程と、前記移動局が、決定された前記タイミングで、前記無線基地局から送信された前記ページング信号を受信する工程と、前記移動局が、受信した前記ページング信号が自分宛てのページング信号である場合に、着信処理を行う工程とを有することを要旨とする。
【００１４】
本発明の第2の特徴は、無線基地局から、複数のグループのいずれかに属する移動局に対して着信があった旨を通知するためのページング信号を受信するように構成されている移動局であって、前記無線基地局から通知された前記ページング信号に対する間欠受信を行う間隔を示す間欠受信間隔及び前記グループの総数に基づいて、前記ページング信号を受信するタイミングを決定するように構成されている受信タイミング決定部と、前記受信タイミング決定部により決定された前記タイミングで、前記無線基地局から送信された前記ページング信号を受信するように構成されているページング信号受信部と、受信した前記ページング信号が自分宛てのページング信号である場合に、着信処理を行うように構成されている着信処理部とを具備することを要旨とする。
【００１５】
本発明の第2の特徴において、前記受信タイミング決定部は、前記ページング信号がマッピングされている無線フレームを構成する複数のサブフレームの中から選択したサブフレームを、前記タイミングとして決定するように構成されており、前記ページング信号は、複数の無線フレーム内の1つのサブフレームにおいてのみ送信されるように構成されていてもよい。
【００１６】
本発明の第2の特徴において、前記受信タイミング決定部は、前記ページング信号がマッピングされている無線フレームを構成する複数のサブフレームの中から選択したサブフレームを、前記タイミングとして決定するように構成されており、前記ページング信号は、1つの無線フレーム内の複数のサブフレームにおいて送信されるように構成されていてもよい。
【００１７】
本発明の第2の特徴において、前記間欠受信間隔に含まれる前記無線フレームの数を「T」とし、前記グループの総数を「N」とし、前記移動局の識別情報を「U」とし、前記移動局が属するグループの識別情報を「G」とし、「T≧N」とすると、前記受信タイミング決定部は、
【数１】
2011130490.tif 000003
から算出される前記SFNによって特定される無線フレーム内の所定のサブフレームを、前記タイミングとして決定するように構成されていてもよい。
【００１８】
本発明の第2の特徴において、前記間欠受信間隔に含まれる前記無線フレームの数を「T」とし、前記グループの総数を「N」とし、前記移動局の識別情報を「U」とし、前記移動局が属するグループの識別情報を「G」とし、「T<N」とすると、前記受信タイミング決定部は、
【数２】
2011130490.tif 000004
から算出される前記SFNによって特定される無線フレーム内の前記SUBFNに対応するサブフレームを、前記タイミングとして決定するように構成されていてもよい。
【００１９】
本発明の第2の特徴において、前記受信タイミング決定部は、前記無線基地局から通知された前記1つの無線フレーム内の先頭サブフレームからのオフセットに基づいて、前記1つの無線フレーム内の複数のサブフレームを決定するように構成されていてもよい。
【００２０】
本発明の第2の特徴において、前記受信タイミング決定部は、前記無線基地局から通知された前記ページング信号がマッピングされている複数のサブフレームを示すビットマップに基づいて、前記1つの無線フレーム内の複数のサブフレームを決定するように構成されていてもよい。
【００２１】
本発明の第2の特徴において、前記受信タイミング決定部は、前記無線基地局から通知された前記ページング信号がマッピングされている複数のサブフレームのパターンを示すマッピングパターンに基づいて、前記1つの無線フレーム内の複数のサブフレームを決定するように構成されていてもよい。
【００２２】
本発明の第3の特徴は、複数のグループのいずれかに属する移動局に対して、着信があった旨を通知するためのページング信号を送信するように構成されている無線基地局であって、複数の無線フレーム内の1つのサブフレームにおいてのみ、前記ページング信号を送信するように構成されているページング信号送信部と、前記移動局に対して、前記ページング信号に対する間欠受信を行う間隔を示す間欠受信間隔及び前記グループの総数を通知するように構成されている通知部とを具備し、前記移動局における前記ページング信号を受信するタイミングは、前記間欠受信間隔及び前記グループの総数に基づいて決定されるように構成されていてもよい。
【００２３】
本発明の第4の特徴は、複数のグループのいずれかに属する移動局に対して、着信があった旨を通知するためのページング信号を送信するように構成されている無線基地局であって、1つの無線フレーム内の複数のサブフレームにおいて、前記ページング信号を送信するように構成されているページング信号送信部と、前記移動局に対して、前記ページング信号に対する間欠受信を行う間隔を示す間欠受信間隔及び前記グループの総数を通知するように構成されている通知部と、前記ページング信号を送信するサブフレームに応じて、前記間欠受信間隔及び前記グループの総数を調整するように構成されている調整部とを具備し、前記移動局における前記ページング信号を受信するタイミングは、前記間欠受信間隔及び前記グループの総数に基づいて決定されるように構成されていてもよい。 
【００２４】
本発明の第3又は第4の特徴において、前記調整部は、各移動局宛ての着信量に応じて、前記間欠受信間隔及び前記グループの総数を調整するように構成されていてもよい。
【００２５】
本発明の第3又は第4の特徴において、前記調整部は、各セルにおいて利用可能な帯域幅に応じて、前記間欠受信間隔及び前記グループの総数を調整するように構成されていてもよい。
【００２６】
本発明の第3又は第4の特徴において、前記調整部は、各セルにおける報知情報の変更頻度に応じて、前記間欠受信間隔及び前記グループの総数を調整するように構成されていてもよい。
【００２７】
本発明の第4の特徴において、前記無線フレームは、10個のサブフレームによって構成されており、報知情報は、各無線フレーム内の1番目のサブフレームによって送信されるように構成されており、前記ページング信号送信部は、前記ページング信号を送信するサブフレームとして、各無線フレーム内の10番目のサブフレーム及び各無線フレーム内の5番目のサブフレームの順に優先して用いるように構成されていてもよい。
【００２８】
本発明の第4の特徴において、前記無線フレームは、10個のサブフレームによって構成されており、報知情報は、各無線フレーム内の1番目のサブフレームによって送信されるように構成されており、前記受信タイミング決定部は、各無線フレーム内の10番目のサブフレームを、前記所定タイミングとするように構成されていてもよい。
【００２９】
本発明の第5の特徴は、無線基地局が、複数のグループのいずれかに属する移動局に対して、着信があった旨を通知するためのページング信号を送信するページング信号送信方法であって、前記無線基地局が、前記移動局に対して、前記ページング信号に対する間欠受信を行う間隔を示す間欠受信間隔、及び、該ページング信号がマッピングされている複数のサブフレームのパターンを示すマッピングパターンを通知する工程と、前記移動局が、通知された前記間欠受信間隔及び前記マッピングパターンに基づいて、前記ページング信号を受信するタイミングを決定する工程と、前記移動局が、決定された前記タイミングで、前記無線基地局から送信された前記ページング信号を受信する工程と、前記移動局が、受信した前記ページング信号が自分宛てのページング信号である場合に、着信処理を行う工程とを有することを要旨とする。
【００３０】
本発明の第6の特徴は、無線基地局から、複数のグループのいずれかに属する移動局に対して着信があった旨を通知するためのページング信号を受信するように構成されている移動局であって、前記無線基地局から通知された前記ページング信号に対する間欠受信を行う間隔を示す間欠受信間隔、及び、該無線基地局から通知された該ページング信号がマッピングされている複数のサブフレームのパターンを示すマッピングパターンに基づいて、前記ページング信号を受信するタイミングを決定するように構成されている受信タイミング決定部と、前記受信タイミング決定部により決定された前記タイミングで、前記無線基地局から送信された前記ページング信号を受信するように構成されているページング信号受信部と、受信した前記ページング信号が自分宛てのページング信号である場合に、着信処理を行うように構成されている着信処理部とを具備することを要旨とする。
【００３１】
本発明の第6の特徴において、前記受信タイミング決定部は、前記ページング信号がマッピングされている無線フレームを構成する複数のサブフレームの中から選択したサブフレームを、前記タイミングとして決定するように構成されており、前記ページング信号は、複数の無線フレーム内の1つのサブフレームにおいてのみ送信されるように構成されていてもよい。
【００３２】
本発明の第6の特徴において、前記受信タイミング決定部は、前記ページング信号がマッピングされている無線フレームを構成する複数のサブフレームの中から選択したサブフレームを、前記タイミングとして決定するように構成されており、前記ページング信号は、1つの無線フレーム内の複数のサブフレームにおいて送信されるように構成されていてもよい。
【００３３】
本発明の第6の特徴において、前記間欠受信間隔に含まれる前記無線フレームの数を「T」とし、前記グループの総数を「N」とし、前記移動局の識別情報を「U」とすると、前記受信タイミング決定部は、
【数２Ａ】
2011130490.tif 000005
から算出される前記SFNによって特定される無線フレーム内の前記SUBFNに対応するサブフレームを、前記タイミングとして決定するように構成されていてもよい。
【００３４】
本発明の第7の特徴は、複数のグループのいずれかに属する移動局に対して、着信があった旨を通知するためのページング信号を送信するように構成されている無線基地局であって、複数の無線フレーム内の1つのサブフレームにおいてのみ、前記ページング信号を送信するように構成されているページング信号送信部と、前記移動局に対して、前記ページング信号に対する間欠受信を行う間隔を示す間欠受信間隔、及び、該ページング信号がマッピングされている複数のサブフレームのパターンを示すマッピングパターンを通知するように構成されている通知部とを具備し、前記移動局における前記ページング信号を受信するタイミングは、前記間欠受信間隔及び前記マッピングパターンに基づいて決定されるように構成されていることを要旨とする。
【００３５】
本発明の第8の特徴は、複数のグループのいずれかに属する移動局に対して、着信があった旨を通知するためのページング信号を送信するように構成されている無線基地局であって、1つの無線フレーム内の複数のサブフレームにおいて、前記ページング信号を送信するように構成されているページング信号送信部と、前記移動局に対して、前記ページング信号に対する間欠受信を行う間隔を示す間欠受信間隔、及び、該ページング信号がマッピングされている複数のサブフレームのパターンを示すマッピングパターンを通知するように構成されている通知部と、前記ページング信号を送信するサブフレームに応じて、前記間欠受信間隔及び前記マッピングパターンを調整するように構成されている調整部とを具備し、前記移動局における前記ページング信号を受信するタイミングは、前記間欠受信間隔及び前記マッピングパターンに基づいて決定されるように構成されていてもよい。
【図面の簡単な説明】
【００３６】
【図１】本発明の第1の実施形態に係る移動通信システムの全体構成図である。
【図２】本発明の第1の実施形態に係る無線基地局の機能ブロック図である。
【図３】本発明の第1の実施形態に係る移動通信システムにおけるPCHの送信タイミングを説明するための図である。
【図４】本発明の第1の実施形態に係る移動局の機能ブロック図である。
【図５】本発明の第1の実施形態に係る移動通信システムにおけるPCHの送信タイミングを説明するための図である。
【図６】本発明の第1の実施形態に係る移動局の動作を示すフローチャートである。
【図７】本発明の変更例1に係る移動局においてページング信号を受信するタイミングを決定する動作を説明するための図である。
【図８】本発明の変更例2に係る移動局においてページング信号を受信するタイミングを決定する動作を説明するための図である。
【図９】本発明の変更例3に係る移動局においてページング信号を受信するタイミングを決定する動作を説明するための図である。
【図１０】本発明の変更例4に係る移動局においてページング信号を受信するタイミングを決定する動作を説明するための図である。
【図１１】従来の移動通信システムにおけるPCHの送信タイミングを説明するための図である。
【発明を実施するための形態】
【００３７】
(本発明の第1の実施形態に係る移動通信システムの構成)
図1乃至図5を参照して、本発明の第1の実施形態に係る移動通信システムの構成について説明する。なお、本実施形態では、LTE方式の移動通信システムを例に挙げて説明するが、本発明は、かかる例に限定されるものではなく、他の任意の移動通信システムに適用することができる。
【００３８】
図1に示すように、本発明の第1の実施形態に係る移動通信システムでは、無線基地局eNBが、複数のグループ#1乃至#3のいずれかに属する移動局UE#1乃至#3に対して着信があった旨を通知するためのページング信号(PCH)を送信するように構成されている。
【００３９】
具体的には、図1に示すように、グループ#1に属する移動局UE#1は、無線基地局eNBによって送信されたPDCCH#1及びPDSCH#1を介して、グループ#1に属する移動局UEに対して着信があった旨を通知するPCH(ページング信号)を受信するように構成されている。
【００４０】
ここで、グループ#1に属する全ての移動局UEのページングDRX間隔と、グループ#1用のPCHが送信されるタイミング(サブフレーム単位)とは一致するように設定されている。
【００４１】
なお、ページングDRX間隔は、無線基地局eNBから通知されたPCH(ページング信号)に対する間欠受信を行う間隔を示す間欠受信間隔を示す。
【００４２】
また、グループ#2に属する移動局UE#2は、無線基地局eNBによって送信されたPDCCH#2及びPDSCH#2を介して、グループ#2に属する移動局UEに対して着信があった旨を通知するPCH(ページング信号)を受信するように構成されている。
【００４３】
ここで、グループ#2に属する全ての移動局UEのページングDRX間隔と、グループ#2用のPCHが送信されるタイミング(サブフレーム単位)とは一致するように設定されている。
【００４４】
さらに、グループ#3に属する移動局UE#3は、無線基地局eNBによって送信されたPDCCH#3及びPDSCH#3を介して、グループ#3に属する移動局UEに対して着信があった旨を通知するPCH(ページング信号)を受信するように構成されている。
【００４５】
ここで、グループ#3に属する全ての移動局UEのページングDRX間隔と、グループ#3用のPCHが送信されるタイミング(サブフレーム単位)とは一致するように設定されている。
【００４６】
また、無線基地局eNBは、所定のリソースブロックを用いて、全ての移動局UE#1乃至#3に対して、BCH(Broadcast Channel)やPDSCHを用いて、BCCHを報知するように構成されている。
【００４７】
図2に示すように、無線基地局eNBは、着信処理部11と、PCH送信部12と、BCCH送信部13と、セル帯域幅管理部14と、パラメータ調整部15とを具備している。
【００４８】
着信処理部11は、複数のグループ#1乃至#3のいずれかに属する移動局UE#1乃至#3に対して着信があるか否かについて監視するように構成されている。
【００４９】
また、着信処理部11は、移動局UE#1乃至#3から、PCHに対する応答信号を受信した場合に、当該移動局UE#1乃至#3に対して着信情報を転送するように構成されている。
【００５０】
PCH送信部12は、複数のグループ#1乃至#3のいずれかに属する移動局UE#1乃至#3に対して着信があったことを検知した場合、当該移動局UE#1乃至#3に対して、その旨を通知するためのPCH(ページング信号)を送信するように構成されている。
【００５１】
具体的には、PCH送信部12は、かかるPCHのサブフレームへのマッピング方法について決定するように構成されている。
【００５２】
例えば、図3(a)に示すように、PCH送信部12は、1つの無線フレーム(無線フレーム#0又は#1)内の複数のサブフレーム(サブフレーム#0及び#1)において、PCH(ページング信号)を送信するように構成されていてもよい。
【００５３】
また、図3(b)に示すように、PCH送信部12は、複数の無線フレーム(無線フレーム#0及び#1)内の1つのサブフレーム(無線フレーム#0のサブフレーム#0)においてのみ、PCH(ページング信号)を送信するように構成されていてもよい。
【００５４】
なお、PCH送信部12は、各移動局UE宛ての着信量に応じて、PCHのサブフレームへのマッピング方法を変更するように構成されていてもよい。
【００５５】
また、PCH送信部12は、各セルにおいて利用可能な帯域幅に応じて、PCHのサブフレームへのマッピング方法を変更するように構成されていてもよい。
【００５６】
また、PCH送信部12は、各セルにおけるBCCH(報知情報)の変更頻度に応じて、PCHのサブフレームへのマッピング方法を変更するように構成されていてもよい。
【００５７】
BCCH送信部13は、BCCHによって、移動局UE#1乃至#3に対して、上述のページングDRX間隔(間欠受信間隔)及びグループの総数を通知するように構成されている。
【００５８】
例えば、BCCH送信部13は、ページングDRX間隔として、ページングDRX間隔を特定する識別情報を送信してもよいし、ページングDRX間隔に含まれる無線フレーム数を送信してもよい。
【００５９】
なお、BCCH送信部13は、BCCHによって、移動局UE#1乃至#3に対して、後述するサブフレームオフセットMやビットマップやマッピングパターンを通知するように構成されていてもよい。
【００６０】
セル帯域幅管理部14は、各セルにおいて利用可能な帯域幅を管理するように構成されている。
【００６１】
パラメータ調整部15は、上述のPCHのサブフレームへのマッピング方法に応じて、ページングDRX間隔及びグループの総数を調整するように構成されている。
【００６２】
例えば、パラメータ調整部15は、各移動局UE#1乃至#3宛ての着信量に応じて、ページングDRX間隔及びグループの総数を調整するように構成されている。
【００６３】
また、パラメータ調整部15は、各セルにおいて利用可能な帯域幅に応じて、ページングDRX間隔及びグループの総数を調整するように構成されている。
【００６４】
また、パラメータ調整部15は、各セルにおけるBCCH(報知情報)の変更頻度に応じて、ページングDRX間隔及びグループの総数を調整するように構成されている。
【００６５】
図4に示すように、移動局UEは、BCCH受信部31と、PCH受信タイミング決定部32と、PCH受信部33と、着信処理部34とを具備している。
【００６６】
BCCH受信部31は、BCCHを介して、無線基地局eNBから、上述のページングDRX間隔及びグループの総数を受信するように構成されている。
【００６７】
また、BCCH受信部31は、BCCHを介して、無線基地局eNBから、後述するサブフレームオフセットMやビットマップやマッピングパターンを受信するように構成されていてもよい。
【００６８】
PCH受信タイミング決定部32は、受信したページングDRX間隔及びグループの総数に基づいて、PCH(ページング信号)を受信するタイミングを決定するように構成されている。
【００６９】
具体的には、PCH受信タイミング決定部32は、PCH(ページング信号)がマッピングされている複数のサブフレーム(図3(a)の例では、無線フレーム#0内のサブフレーム#0及び#1や、無線フレーム#1内のサブフレーム#0及び#1)の中から選択したサブフレームを、上述のタイミングとして決定するように構成されている。
【００７０】
ここで、PCHは、図3(a)に示すように、1つの無線フレーム内の複数のサブフレームにおいて送信されるように構成されていてもよいし、図3(b)に示すように、複数の無線フレーム内の1つのサブフレームにおいてのみ送信されるように構成されていてもよい。
【００７１】
また、PCH受信タイミング決定部32は、「T≧N」の場合、
【数３】
2011130490.tif 000006
から算出されるSFNによって特定される無線フレーム内の所定のサブフレームを、上述のタイミングとして決定するように構成されていてもよい。
【００７２】
一方、PCH受信タイミング決定部32は、「T<N」の場合、
【数４】
2011130490.tif 000007
から算出されるSFNによって特定される無線フレーム内のSUBFNに対応するサブフレームを、上述のタイミングとして決定するように構成されていてもよい。
【００７３】
ここで、ページングDRX間隔(間欠受信間隔)に含まれる無線フレームの数を「T」とし、グループの総数を「N」とし、移動局UEの識別情報を「U」とし、移動局UEが属するグループの識別情報を「G」とする。
【００７４】
なお、移動局UEの識別情報としては、例えば、IMSI(International Mobile Subscriber Identity)やTMSI(Temporary Mobile Subscriber Identity)等のハッシュ値を用いることが想定される。
【００７５】
また、PCH受信タイミング決定部32は、図5(a)に示すように、当該無線フレームの先頭サブフレーム(例えば、サブフレーム#0)から順に選択した所定数(例えば、2つ)のサブフレーム(例えば、サブフレーム#0、#1)を、PCHが送信される1つの無線フレーム内の複数のサブフレームとして決定するように構成されていてもよい。
【００７６】
また、PCH受信タイミング決定部32は、図5(b)に示すように、PCHが送信される1つの無線フレーム内の複数のサブフレーム(例えば、サブフレーム#3、#4)を、無線基地局eNBからBCCHによって通知された当該無線フレーム内の先頭サブフレーム(サブフレーム#0)からのサブフレームオフセットM(例えば、M=3)に基づいて決定するように構成されていてもよい。
【００７７】
また、PCH受信タイミング決定部32は、図5(c)に示すように、PCHが送信される1つの無線フレーム内の複数のサブフレーム(例えば、サブフレーム#2、#4)を、無線基地局eNBから通知されたPCHがマッピングされている複数のサブフレームを示すビットマップに基づいて決定するように構成されていてもよい。
【００７８】
例えば、PCH受信タイミング決定部32は、図5(c)に示すビットマップ(10ビット)を受信した場合、所定の無線フレーム内のサブフレーム#2、#4、#7、#8においてPCHが送信しているものと判定することができる。
【００７９】
このように、ビットマップを通知することによって、PCHのサブフレームへの全てのマッピング方法を通知することができる。
【００８０】
また、PCH受信タイミング決定部32は、図5(d)に示すように、PCHが送信される1つの無線フレーム内の複数のサブフレーム(例えば、サブフレーム#0乃至#9(マッピングパターン#0の場合))を、無線基地局eNBから通知されたPCHがマッピングされている複数のサブフレームのパターンを示すマッピングパターンに基づいて決定するように構成されていてもよい。
【００８１】
例えば、PCH受信タイミング決定部32は、図5(d)に示すマッピングパターン#0乃至#7を記憶しており、無線基地局eNBからBCCHによって、マッピングパターン#0を示す識別情報(3ビット)を受信した場合、所定の無線フレーム内の全てのサブフレーム#0乃至9においてPCHが送信しているものと判定することができる。
【００８２】
このように、マッピングパターンを示す識別情報を通知することによって、少ないデータ量で、多様なPCHのサブフレームへのマッピング方法を通知することができる。
【００８３】
PCH受信部33は、PCH受信タイミング決定部32により決定されたタイミング(サブフレーム)で、無線基地局eNBから送信されたPCH(P-RNTIを含むPDCCH及びPCHを含むPDSCH)を受信するように構成されている。
【００８４】
着信処理部34は、PCH受信部33で受信したPCHに含まれているUE-IDに基づいて、当該PCHが自分宛てのPCHであると判定した場合に、着信処理を行うように構成されている。
【００８５】
(本発明の第1の実施形態に係る移動通信システムの動作)
図6を参照して、本発明の第1の実施形態に係る移動局通信システムにおける移動局UEの動作について説明する。
【００８６】
図6に示すように、ステップS101において、移動局UEは、無線基地局eNBから受信したBCCHに含まれる情報に基づいて、ページングDRX間隔に含まれる無線フレーム数(T)及びグループの総数(N)を取得する。
【００８７】
ステップS102において、移動局UEは、ページングDRX間隔に含まれる無線フレーム数(T)と、グループの総数(N)とを比較する。
【００８８】
移動局UEは、ページングDRX間隔に含まれる無線フレーム数(T)がグループの総数(N)以上であると判定した場合、ステップS103において、「U mod N」によって、当該移動局UEが属するグループの識別情報(G:グループID)を算出する。
【００８９】
ステップS104において、移動局UEは、「SFN mod T = G・T/N」が成立するSFNによって特定される無線フレームを、PCHがマッピングされているサブフレームを含む無線フレームとして決定する。
【００９０】
ステップS108において、移動局UEは、当該SFNによって特定される無線フレーム内の所定のサブフレーム(例えば、先頭サブフレーム#0)において、PCH(PDCCH及びPDSCH)を受信する。
【００９１】
一方、移動局UEは、ページングDRX間隔に含まれる無線フレーム数(T)がグループの総数(N)よりも小さいと判定した場合、ステップS105において、「U mod N」によって、当該移動局UEが属するグループの識別情報(G:グループID)を算出する。
【００９２】
ステップS106において、移動局UEは、
【数５】
2011130490.tif 000008
が成立するSFNによって特定される無線フレームを、PCHがマッピングされているサブフレームを含む無線フレームとして決定する。
【００９３】
ステップS106において決定された無線フレーム内の複数のサブフレームにおいてPCHが送信されていることが想定されるため、ステップS107において、移動局UEは、「SUBFN = G mod (N/T)」によって算出されたSUBFNによって特定されるサブフレームを、PCHがマッピングされているサブフレームとして決定する。
【００９４】
ステップS108において、移動局UEは、当該SFNによって特定される無線フレーム内の当該SUBFNによって特定されるサブフレームにおいて、PCH(PDCCH及びPDSCH)を受信する。
【００９５】
なお、当該SUBFNが、当該SFNによって特定される無線フレーム内のどのサブフレームを特定するのかについては、上述したように、図5(a)乃至図5(d)に示す4つの方法が想定される。
【００９６】
なお、本実施形態において、グループを決定し、各グループ用のPCH(ページング信号)の送信タイミング(サブフレーム)を決定した上で、同一グループに属する移動局UE(すなわち、PCH(ページング信号)の送信タイミング(サブフレーム)が同一の移動局UE)を、更にサブグループに分けることができる。
【００９７】
また、本実施形態において、非特許文献2に示すように、サブグループ毎に異なるP-RNTIを含むPDCCHを送信してもよいし、PCHをページングするサブグループの識別子を含む通常と異なるフォーマットのPDCCHを送信してもよい(ここで、サブグループは、非特許文献2に記載されているグループに該当する)。
【００９８】
この場合、サブグループ数を指定する値が報知情報に含まれる。本発明は、上述のようなサブグループの採否を問わず、PCH(ページング信号)の送信タイミングを決定する方法として適用できる。
【００９９】
(本発明の第1の実施形態に係る移動通信システムの作用・効果)
本実施形態に係る移動通信システムによれば、各グループ用のPCH(ページング信号)の送信タイミング(サブフレーム)を柔軟に変更することができる。
【０１００】
また、本実施形態において、グループ数を減らし、PCH(ページング信号)の送信タイミング(PCHが送信されるサブフレーム)を減らすことは、PCH(ページング信号)を送信するためのPDCCHのオーバヘッドを削減するために望ましい。
【０１０１】
これは、1回のPDCCHの送信で、確率的に、より多くの移動局UEの着信を通知(シグナリング)することができるためである。
【０１０２】
また、報知情報が変更された場合に、無線基地局eNBが、移動局UEに対して、かかる報知情報の再受信を促すように、かかる報知情報の変更を通知するシグナリングを送信する必要がある。
【０１０３】
かかるシグナリングは、セル内で待受け中の全移動局UEに届ける必要があるため、全てのグループ用のPCH(ページング信号)の送信タイミングで、繰り返し送信される必要がある。
【０１０４】
また、移動局UEが、自身が属するグループ宛てのPCH(ページング信号)の送信タイミングでの受信を失敗する可能性を考慮して、十分な回数、かかるシグナリングを繰り返し送信する必要がある。
【０１０５】
したがって、グループ数を減らし、PCH(ページング信号)の送信タイミング(PCHが送信されるサブフレーム)を減らすことは、報知情報の変更を通知するシグナリングのオーバヘッドを削減する観点で望ましい。
【０１０６】
一方、本実施形態において、グループ数を減らし、PCH(ページング信号)の送信タイミング(PCHが送信されるサブフレーム)を減らすことは、ページング容量の削減をもたらすリスクを伴う。
【０１０７】
これは、1サブフレームで送信できるPDCCHの本数に制限があること、及び、PDSCHで送信できるビット数に制限があり、PDSCHに含めることができるUE-ID数に制限があることに由来する。
【０１０８】
LTEは、1.6MHzから20MHzまでの多様な帯域幅をサポートするシステムであり、上記制限は、システムの帯域幅にも依存する。
【０１０９】
したがって、帯域幅が狭い場合や、帯域幅に比べて着信量が多い場合には、グループ数を増やし、PCH(ページング信号)の送信タイミングを増やすことで、ページング容量を確保することが望ましい。
【０１１０】
以上の通り、シグナリングのオーバヘッドとページング容量との間には、トレードオフの関係があり、最適なグループ数は、システムの帯域幅、着信量、及び、報知情報の変更頻度に依存する。
【０１１１】
これらを勘案し、オーバヘッド及びページング容量の観点で、最適なグループ数を設定することが望ましい。
【０１１２】
本発明は、これらの条件に応じて柔軟にオーバヘッドとページング容量とのバランスを最適化できる方法を提供できる。
【０１１３】
(変更例1)
本発明の変更例1では、移動局UEのPCH受信タイミング決定部32は、無線基地局eNBから通知されたページング信号に対する間欠受信を行う間隔を示す間欠受信間隔(ページングDRX間隔)、及び、かかる無線基地局eNBから通知されたページング信号がマッピングされている複数のサブフレームのパターンを示すマッピングパターンに基づいて、ページング信号を受信するタイミングを決定するように構成されている。
【０１１４】
具体的には、移動局UEのPCH受信タイミング決定部32は、図7の「Radio frame」で規定されている式から算出されるSFNによって特定される無線フレーム内で、図7の「Subframe index」で規定されている式から算出されるiによって特定されるサブフレームを、上述のタイミングとして決定するように構成されていてもよい。
【０１１５】
ここで、図7の「Example 1」に示すように、「T=128」とし、「N/T=4」とすると、12ビットからなる「UE-ID」において、ビット#1乃至#7の値は、無線フレームSFNの計算に用いられ、ビット#8及び#9の値は、サブフレームiの計算に用いられ、ビット#10乃至#12の値は、これらの計算に用いられない。
【０１１６】
また、図7の「Example 2」に示すように、「T=32」とし、「N/T=8」とすると、12ビットからなる「UE-ID」において、ビット#1乃至#5の値は、無線フレームSFNの計算に用いられ、ビット#6乃至#8の値は、サブフレームiの計算に用いられ、ビット#9乃至#12の値は、これらの計算に用いられない。
【０１１７】
さらに、図7の「Example 3」に示すように、「T=64」とし、「N/T=1/4」とすると、12ビットからなる「UE-ID」において、ビット#1乃至#4の値は、無線フレームSFNの計算に用いられ、ビット#5乃至#12の値は、これらの計算に用いられない。
【０１１８】
(変更例2)
本発明の変更例2では、移動局UEのPCH受信タイミング決定部32は、無線基地局eNBから通知されたページング信号に対する間欠受信を行う間隔を示す間欠受信間隔(ページングDRX間隔)、及び、かかる無線基地局eNBから通知されたページング信号がマッピングされている複数のサブフレームのパターンを示すマッピングパターンに基づいて、ページング信号を受信するタイミングを決定するように構成されている。
【０１１９】
具体的には、移動局UEのPCH受信タイミング決定部32は、図8の「Radio frame」で規定されている式から算出されるSFNによって特定される無線フレーム内で、図8の「Subframe index」で規定されている式から算出されるiによって特定されるサブフレームを、上述のタイミングとして決定するように構成されていてもよい。
【０１２０】
ここで、図8の「Example 1」に示すように、「T=128」とし、「N/T=4」とすると、12ビットからなる「UE-ID」において、ビット#1及び#2の値は、サブフレームiの計算に用いられ、ビット#3乃至#9の値は、無線フレームSFNの計算に用いられ、ビット#10乃至#12の値は、これらの計算に用いられない。
【０１２１】
また、図8の「Example 2」に示すように、「T=32」とし、「N/T=8」とすると、12ビットからなる「UE-ID」において、ビット#1乃至#3の値は、サブフレームiの計算に用いられ、ビット#4乃至#8の値は、無線フレームSFNの計算に用いられ、ビット#9乃至#12の値は、これらの計算に用いられない。
【０１２２】
さらに、図8の「Example 3」に示すように、「T=64」とし、「N/T=1/4」とすると、12ビットからなる「UE-ID」において、ビット#1乃至#4の値は、無線フレームSFNの計算に用いられ、ビット#5乃至#12の値は、これらの計算に用いられない。
【０１２３】
(変更例3)
本発明の変更例3では、移動局UEのPCH受信タイミング決定部32は、無線基地局eNBから通知されたページング信号に対する間欠受信を行う間隔を示す間欠受信間隔(ページングDRX間隔)、及び、かかる無線基地局eNBから通知されたページング信号がマッピングされている複数のサブフレームのパターンを示すマッピングパターンに基づいて、ページング信号を受信するタイミングを決定するように構成されている。
【０１２４】
具体的には、移動局UEのPCH受信タイミング決定部32は、図9の「Radio frame」で規定されている式から算出されるSFNによって特定される無線フレーム内で、図9の「Subframe index」で規定されている式から算出されるiによって特定されるサブフレームを、上述のタイミングとして決定するように構成されていてもよい。
【０１２５】
ここで、図9の「Example 1」に示すように、「T=128」とし、「N/T=4」とすると、12ビットからなる「UE-ID」において、ビット#1及び#2の値は、サブフレームiの計算に用いられ、ビット#5乃至#11の値は、無線フレームSFNの計算に用いられ、ビット#3、#4、#12の値は、これらの計算に用いられない。
【０１２６】
また、図9の「Example 2」に示すように、「T=32」とし、「N/T=8」とすると、12ビットからなる「UE-ID」において、ビット#1乃至#3の値は、サブフレームiの計算に用いられ、ビット#5乃至#9の値は、無線フレームSFNの計算に用いられ、ビット#4、#10乃至#12の値は、これらの計算に用いられない。
【０１２７】
さらに、図9の「Example 3」に示すように、「T=64」とし、N/T=1/4」とすると、12ビットからなる「UE-ID」において、ビット#5乃至#8の値は、無線フレームSFNの計算に用いられ、ビット#1乃至#4、#9乃至#12の値は、これらの計算に用いられない。
【０１２８】
(変更例4)
本発明の変更例4では、移動局UEのPCH受信タイミング決定部32は、図10に示すマッピングテーブルを参照して、ページング信号を受信するタイミングを決定するように構成されている。
【０１２９】
例えば、移動局UEのPCH受信タイミング決定部32は、無線基地局eNBから、ページングDRX間隔「T」及びマッピングパターンを受信した場合、図10に示すマッピングテーブルにおいて該マッピングパターンに対応する「Nfr」を抽出し、抽出した「Nfr」から「N」を算出し、かかる「T」及び「N」を図7乃至図9の「Radio frame」に規定されている式に適用することによって、「SFN」及び「i(=SUBFN)」を算出する。
【０１３０】
図10の例において、マッピングパターン#0が通知された場合、ページング信号は、4つの無線フレーム内の1つのサブフレームにおいてのみ送信されるものとする。
【０１３１】
ここで、必ず「i=0(サブフレーム#9に対応)」になるように構成されているため、図7乃至図9の「Radio frame」に規定されている式によって算出された「SFN」によって特定される無線フレーム内の「サブフレーム#9」において、ページング信号が送信されるものとする。
【０１３２】
LTE方式の移動通信システムでは、無線フレームは、10個のサブフレーム#0乃至#9によって構成されており、報知情報(MIB)は、各無線フレーム内の1番目のサブフレーム#0によって送信されるように構成されており、報知情報(SIB1)は、偶数番号の無線フレーム内の6番目のサブフレーム#5によって送信されるように構成されている。
【０１３３】
よって、他のサブフレームを、ページング信号の送信に用いることは、ページングチャネルの容量確保の観点で有利である。
【０１３４】
また、LTE方式の移動通信システムでは、報知情報が変更された場合に、変更があった旨がページング信号にて通知される。
【０１３５】
かかる通知を受信した移動局UEは、先ず、1番目のサブフレーム#0で送信される報知情報(MIB)を受信し、次に、6番目のサブフレーム#5で通知される報知情報(SIB1)を受信する。
【０１３６】
よって、10番目のサブフレーム#9をページング信号の送信に用いることは、報知情報の変更が通知された場合に、素早く報知情報を取得する上で有利である。
【０１３７】
また、10番目のサブフレーム#9の次に、5番目のサブフレーム#4をページング信号の送信に用いることは、移動局UEが、着信に応答して、ネットワークにアクセスする際、ランダムアクセスチャネルの負荷を分散する上で有利である。
【０１３８】
すなわち、本変更例4に係る移動通信システムでは、ページング信号を送信するサブフレームとして、各無線フレーム内の10番目のサブフレーム#9及び各無線フレーム内の5番目のサブフレーム#6の順に優先して用いるように構成されている。
【０１３９】
なお、上述の移動局UE及び無線基地局NodeBの動作は、ハードウェアによって実施されてもよいし、プロセッサによって実行されるソフトウェアモジュールによって実施されてもよいし、両者の組み合わせによって実施されてもよい。
【０１４０】
ソフトウェアモジュールは、RAM(Random Access Memory)や、フラッシュメモリや、ROM(Read Only Memory)や、EPROM(Erasable Programmable ROM)や、EEPROM(Electronically Erasable and Programmable ROM)や、レジスタや、ハードディスクや、リムーバブルディスクや、CD-ROMといった任意形式の記憶媒体内に設けられていてもよい。
【０１４１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ASIC内に設けられていてもよい。かかるASICは、移動局UE及び無線基地局eNB内に設けられていてもよい。また、かかる記憶媒体及びプロセッサは、ディスクリートコンポーネントとして移動局UE及び無線基地局eNB内に設けられていてもよい。
【０１４２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【０１４３】
なお、日本国特許出願第2008-24620号(2008年2月4日出願)の全内容が、参照により、本願明細書に組み込まれている。
【産業上の利用可能性】
【０１４４】
以上説明したように、本発明に係るページング信号送信方法、移動局及び無線基地局は、各グループ用のページング信号の送信タイミングを柔軟に変更することができるため、有用である。 
【符号の説明】
【０１４５】
ｅＮＢ…無線基地局
１１、３４…着信処理部
１２…ＰＣＨ送信部
１３…ＢＣＣＨ送信部
１４…セル帯域幅管理部
１５…パラメータ調整部
ＵＥ…移動局
３１…ＢＣＣＨ受信部
３２…ＰＣＨ受信タイミング決定部
３３…ＰＣＨ受信部
【図１】
2011130490.tif 000009
【図２】
2011130490.tif 000010
【図３】
2011130490.tif 000011
【図４】
2011130490.tif 000012
【図５】
2011130490.tif 000013
【図６】
2011130490.tif 000014
【図７】
2011130490.tif 000015
【図８】
2011130490.tif 000016
【図９】
2011130490.tif 000017
【図１０】
2011130490.tif 000018
【図１１】
2011130490.tif 000019